(57)【特許請求の範囲】
【請求項１】
第１のグリップ（２０）を固定した作業機であって、第１のグリップ（２０）に操作要素が配置され、該操作要素が作業機の駆動原動機（４）を操作するためのスロットルレバー（１９）を有し、第２のグリップ（２１）が設けられ、第１のグリップ（２０）が、作業機を両グリップ（２０，２１）を用いて操縦することのできる両手操作用の第１の操作位置と、作業機を第１のグリップ（２０）で操縦することのできる片手操作用の第２の操作位置との間で位置調整可能であり、両グリップ（２０，２１）がグリップフレーム（１０）で保持されている前記作業機において、
両グリップ（２０，２１）が共通の回転軸線（２９）を中心にして前記両位置の間で回動可能であり、両グリップ（２０，２１）が作業機の管状部分（８）に固定され、両グリップ（２０，２１）が、両手操作用の操作位置で、管状部分（８）の長手方向（１５）に対し横方向にある面（３８）内に配置され、片手操作用の操作位置で、管状部分（８）の長手方向（１５）に対しほぼ平行な面（３５）内に配置され、第２のグリップ（２１）が両手操作用の作動位置と片手操作用の非作動位置との間で位置調整可能であり、第１のグリップ（２０）がその長手方向（２２）のまわりに回転可能であるようにグリップフレーム（１０）に固定されていることを特徴とする作業機。
【請求項２】
グリップフレーム（１０）が前記両位置の間で回転軸線（２９）を中心にしてほぼ９０゜回動していることを特徴とする、請求項１に記載の作業機。
【請求項３】
グリップフレーム（１０）が湾曲管部分から形成されていることを特徴とする、請求項１に記載の作業機。
【請求項４】
両グリップ（２０，２１）は、両手操作用の操作位置で、グリップフレーム（１０）とは逆の側の端部（４０，４１）が互いに傾斜していることを特徴とする、請求項１に記載の作業機。
【請求項５】
第１のグリップ（２０）が第１の操作位置と第２の操作位置との間でグリップフレーム（１０）に対しほぼ９０゜回動していることを特徴とする、請求項１から４までのいずれか一つに記載の作業機。
【請求項６】
第１のグリップ（２０）が、第１の操作位置と第２の操作位置とで異なる位置を占めるようにグリップフレーム（１０）に固定されている固定手段を用いてグリップフレーム（１０）に固定されていることを特徴とする、請求項１から５までのいずれか一つに記載の作業機。
【請求項７】
両グリップ（２０，２１）が両操作位置において管状部分（８）の長手方向（１５）に関しほぼ同じ高さに配置されていることを特徴とする、請求項１から６までのいずれか一つに記載の作業機。
【請求項８】
第２のグリップ（２１）が、非作動位置において、管状部分（８）の長手方向（１５）に見て第１のグリップ（２０）を境にして操作者（４８）とは反対側に配置されていることを特徴とする、請求項７に記載の作業機。
【請求項９】
第１のグリップ（２０）と第２のグリップ（２１）とが片手操作用の操作位置において作業機の管状部分（８）の縦軸線（１５）に対し傾斜していることを特徴とする、請求項１から８までのいずれか一つに記載の作業機。
【請求項１０】
グリップフレーム（１０）の一部分（１８）が、管状部分（８）を境にして両グリップ（２０，２１）とは逆の側に位置するように該管状部分（８）の長手側（３９）に延在していることを特徴とする、請求項１から９までのいずれか一つに記載の作業機。
【請求項１１】
グリップフレーム（１０）が取り外し可能な止め輪（９）により作業機の管状部分（８）に固定され、止め輪（９）がホールダ（１１）を有し、該ホールダ（１１）にグリップフレーム（１０）が回転軸線（２９）のまわりに回転可能に配置されていることを特徴とする、請求項１から１０までのいずれか一つに記載の作業機。
【請求項１２】
作業機が送風管（７）を有する背負い型の作業機であり、管状部分（８）が送風管（７）の一部分であることを特徴とする、請求項１に記載の作業機。
【発明の詳細な説明】
【技術分野】
【０００１】
本発明は、第１のグリップを固定した作業機であって、第１のグリップに操作要素が配置され、該操作要素が作業機の駆動原動機を操作するためのスロットルレバーを有し、第２のグリップが設けられ、第１のグリップが、作業機を両グリップを用いて操縦することのできる両手操作用の第１の操作位置と、作業機を第１のグリップで操縦することのできる片手操作用の第２の操作位置との間で位置調整可能であり、両グリップがグリップフレームで保持されている前記作業機に関するものである。
【背景技術】
【０００２】
特許文献１からは、送風管を誘導操作するためのグリップを有する作業機、すなわち送風機が知られている。グリップは送風管の上方に配置され、操作者の片手だけで人間工学的に把持されるので好ましい。その結果この送風機は片手操作に対してのみ適している。片手だけで送風管を誘導操作すると、操作者に疲労が現れることがある。
【０００３】
【特許文献１】独国特許出願公開第１０３５９７４９Ａ１号明細書
【発明の開示】
【発明が解決しようとする課題】
【０００４】
本発明の課題は、冒頭で述べた種類の作業機において、疲労のない作業と多面的な使用とを可能にする作業機を提供することである。
【課題を解決するための手段】
【０００５】
この課題は、請求項１に記載の構成を備えた作業機により解決される。
【０００６】
作業機が第２のグリップ有していることにより、作業機を両手で両手操作でも操縦することができる。これにより操作者の疲労は減少する。第２のグリップを非作動位置へ位置調整することができるので、片手操作が有利である場合には片手操作も可能である。したがって、第２のグリップは従来の片手操作に加えて両手操作をも可能にし、その結果作業機を多種多様に使用でき、疲労のない操作を可能にする。
【０００７】
有利には、第１のグリップも両手操作用の第１の作動位置と片手操作用の第２の作動位置との間で位置調整可能である。これにより、片手操作に対しても両手操作に対しても人間工学的なグリップ構成が可能になり、疲労のない作業を可能にする。本発明によれば、両グリップはグリップフレームで保持され、且つ共通の回転軸線を中心にして前記両位置の間で回動可能である。好ましくは、グリップフレームが前記両位置の間で回転軸線を中心にしてほぼ９０゜回動しているのがよい。ほぼ９０゜の回転軸線は、第２のグリップが非作動位置において作業範囲外に完全に回動していて操作者の邪魔にならないことを可能にする。グリップフレームが湾曲管部分から形成されていれば、構成が簡潔になる。
【０００８】
有利には、両グリップは、両手操作用の操作位置で、グリップフレームとは逆の側の端部が互いに傾斜しているのがよい。これにより両手操作における人間工学的な操作が得られる。本発明によれば、第１のグリップはその長手方向のまわりに回転可能であるようにグリップフレームに固定されている。これにより第１のグリップは両操作位置において作業機に対しほぼ同じ方向に指向するので、たとえば第１のグリップにおける操作要素等の配置は両操作位置において同等である。第１のグリップは第１の操作位置と第２の操作位置との間でグリップフレームに対し好ましくはほぼ９０゜回動している。第１のグリップのこの回動角が両位置の間でのグリップフレームの回動角に対応し、その際第１のグリップがグリップフレームとは逆の方向に回転するのが合目的であり、その結果第１のグリップの絶対的な指向性がほぼ維持される。第１のグリップが、第１の操作位置と第２の操作位置とで異なる位置を占めるようにグリップフレームに固定されている固定手段、特に固定ねじを用いてグリップフレームに固定されていれば、構成が簡潔になる。操作者は固定ねじを容易に且つ迅速に緩めて移し変えることができる。これにより両操作位置間での迅速且つ容易な交換を達成できる。グリップを異なる位置に固定するために、いずれにしろ固定に必要である固定ねじ以外の補助的な部材を必要としない。本発明によれば、第１のグリップには操作要素、特に作業機の駆動原動機を操作するためのスロットルレバーが配置されている。
【０００９】
本発明によれば、両グリップは作業機の管状部分に固定されている。したがって両グリップは、作業機の管状部分を地面または床に対し相対的に誘導操作するために用いる。両グリップが、両手操作用の操作位置で、管状部分の長手方向に対し横方向にある面、特にほぼ垂直な面内に配置されていれば、両グリップの人間工学的な配置が達成される、片手操作用の操作位置では、両グリップは管状部分の長手方向に対しほぼ平行な面内に配置されているのが好ましい。これにより、両グリップを管状部分の領域に配置することができる。これにより、第１のグリップによって管状部分への力の好適な導入が得られるので、作業機は操作性に優れたものになる。第２のグリップも同様に管状部分の領域に配置されているのが好ましく、その結果第２のグリップが操作者の邪魔になることがない。
【００１０】
好ましくは、両グリップが両操作位置において管状部分の長手方向に関しほぼ同じ高さに配置されているのがよい。これにより両操作位置での操作者の人間工学的なハンドリングが得られる。同時に、両操作位置間での位置調整の際に、第１のグリップに設けられる操作レバーを介して操作されるスロットルコントロールケーブルの長さがほとんど変化せず、その結果構造的に簡潔な構成が得られる。合目的には、第２のグリップが、非作動位置において、管状部分の長手方向に見て第１のグリップを境にしての操作者とは反対側に配置されているのがよい。好ましくは、第１のグリップと第２のグリップとが片手操作用の操作位置において作業機の管状部分の縦軸線に対し傾斜しているのがよい。これにより第１のグリップの人間工学的なハンドリングが得られる。
【００１１】
グリップフレームの一部分が、管状部分を境にして両グリップとは逆の側に位置するように該管状部分の長手側に延在していれば、グリップフレームの簡潔な構成が達成される。好ましくは、グリップフレームが取り外し可能な止め輪により作業機の管状部分に固定されされているのがよい。止め輪が取り外し可能に管状部分に配置されていることにより、２つのグリップを備えたグリップフレーム用の止め輪の代わりに、個々のグリップを配置するための止め輪を管状部分に固定させることができる。これにより作業機は従来のように片手だけでも操作可能である。合目的には、止め輪がホールダを有し、該ホールダにグリップフレームが回転軸線のまわりに回転可能に配置されているのがよい。これにより簡潔な構成でグリップフレームの回転性を実現させることができる。
【００１２】
作業機は特に背負い型の作業機であり、好ましくは送風機、吸引機、または噴射機である。管状部分は特に作業機の送風管の一部分である。
【発明を実施するための最良の形態】
【００１４】
次に、本発明の実施形態を添付の図面を用いて詳細に説明する。
図１と図２に図示した送風機１はケーシング２を有し、ケーシング２内には駆動原動機４が配置されている。駆動原動機４は２サイクルエンジンまたは４サイクルエンジンのような内燃エンジンであるのが好ましい。駆動原動機４はファンホイール５を駆動し、ファンホイール５は空気をファンスパイラル３へ搬送する。ファンスパイラル３には送風管７が配置されている。ケーシング２は背負い部６に固定されており、その結果操作者は送風機１を背中に背負うことができる。送風管７は操作者の体を取り巻くように案内されており、操作者によって担持され、地面または床を介して案内されるので、地面または床から塵埃等を除去することができる。
【００１５】
送風機１は、送風管７を誘導操作するため、図３に図示したグリップフレーム１０を有している。グリップフレーム１０には第１のグリップ２０と第２のグリップ２１とが固定されている。グリップフレーム１０は湾曲した管から形成され、その端部にグリップ２０，２１が嵌合し、固定されている。グリップフレーム１０は止め輪９を用いて送風管７の一部分８に固定されている。送風管７の一部分８により、ファンホイール５から搬送されてくる空気を流動方向３０へ流動させる。
【００１６】
止め輪９には、グリップフレーム１０を保持するホールダ１１が固定されている。図４に図示したように、ホールダ１１は止め輪９に固定されている第１の半シェル１３を有している。第１の半シェル１３には第２の半シェル１４が支持されている。第２の半シェル１４は図５に図示した枢着部３７にて回動可能であるように第１の半シェル１３に配置されている。第２の半シェル１４には、第１の半シェル１３にねじ込み可能な蝶ねじ１２が固定されている。グリップフレーム１０は回動軸線２９のまわりに回転可能であるようにホールダ１１に配置されている。図５に図示したように、蝶ねじ１２は回転軸線２９に関し枢着部３７とは逆の側に配置されており、その結果グリップパイプ１７をホールダ１１に締め付け固定することができる。
【００１７】
第１のグリップ２０はグリップフレーム１０の一部分１６に固定されている。第１のグリップ２０はスロットルレバー１９と、図５に図示したスロットルレバーロック部材２５と、図３および図４に図示した、たとえばチョーク装置の調整に用いることのできる操作レバー２６とを有している。第２のグリップ２１はグリップフレーム１０の一部分１７に固定されている。グリップフレーム１０の一部分１６と１７はグリップフレーム１０の一部分１８を介して結合されている。グリップフレーム１０の一部分１８は送風管７の両グリップ２０，２１とは逆の側の長手側３９に配置されている。
【００１８】
送風管７の一部分８の長手方向１５に見た図４のグリップフレーム１０の図示では、グリップフレーム１０の一部分１６，１７，１８は互いに平行に且つ回転軸線２９に対し垂直に延在している。一部分１６を一部分１８と結合させているグリップフレーム１０の一部分２７と、送風管７の一部分８に関し該一部分２７とは逆の側に配置されているグリップフレーム１０の一部分２８とは、回転軸線２９に対し平行に延在している。一部分２７，１８，２８はＵ字状の受容部を形成し、この受容部内に送風管７の一部分８が配置されている。送風管７の一部分８は筒状に形成されている。前記長手方向１５は一部分８の縦中心軸線と一致している。
【００１９】
第１のグリップ２０の長手方向２２はグリップフレーム１０の一部分１６に対し角度αだけ傾斜している。この角度αは９０゜以下である。第２のグリップ２１の長手方向２３はグリップフレーム１０の一部分１７に対し９０゜以下の角度βだけ傾斜している。この場合、グリップ２０，２１のグリップフレーム１０とは逆の側の端部４０，４１は互いに傾斜させる。前記角度αとβとは同一であるのが好ましく、たとえばほぼ７０゜である．
【００２０】
図５に図示したグリップフレーム１０の側面図によれば、両グリップ２０と２１は互いにほぼ合同に配置されている。両グリップ２０，２１は、送風管７の一部分８の長手方向１５に対し垂直に延びている面３８内にある。
【００２１】
図６はグリップフレーム１０の平面図である。グリップフレーム１０の一部分１７は、長手方向１５に対し角度εだけ傾斜している一部分２４を介して一部分２８（図４）と結合されている。一部分１６は長手方向１５に対し角度δだけ傾斜しているのが有利である。角度δは好ましくはほぼεに相当している。一部分１８は一部分１６と２４に対しほぼ垂直に延在しており、長手方向１５に対し角度γだけ傾斜している。角度γ、δ、εは好ましくはほぼ４５゜である。図６に示唆した操作者４８は、通常は、送風管７の一部分８の、第２のグリップ２１をも配置した側にいる。この場合、操作者４８は流動方向３０に関しグリップフレーム１０の上流側にいる。
【００２２】
図３ないし図６はグリップフレーム１０を両手操作の位置で図示したものである。グリップ２０もグリップ２１も操作位置に配置されている。操作者４８は両グリップ２０，２１を快適に把持することができる。送風管７を片手だけで操縦するため、グリップフレーム１０は図７ないし図１０に図示した位置へ回動させることができる。この場合、グリップフレーム１０は好ましくはほぼ９０゜だけ回転軸線２９のまわりに回動させることができる。さらに、第１のグリップ２０はグリップフレーム１０に対し９０゜だけ逆方向へ回動させることができる。その際第２のグリップ２１は非作動位置に達し、該非作動位置において第２のグリップ２１は操作者の操作可能範囲外にある。
【００２３】
グリップフレーム１０を回動させるには、ホールダ１１の蝶ねじ１２を緩め、グリップフレーム１０を回動させる。図３ないし図６に図示した位置では、グリップフレーム１０の一部分２８は止め輪９の上流側において送風管７の一部分８にほぼ当接している。グリップフレーム１０は、位置調整の際、一部分２８が止め輪９の下流側で送風管７にほぼ当接するまで回動させる。グリップフレーム１０のこの位置は図７ないし図１０に図示されている。
【００２４】
第１のグリップ２０の位置調整は図１１ないし図１３に図示されている。第１のグリップ２０はグリップフレーム１０の管部分３１上に嵌合されており、管部分３１はグリップフレーム１０の一部分１６に接続している。図１１には、第１のグリップ２０を一部分３１から部分的に引き離した状態で図示してある。図１２の拡大図が示すように、管部分３１は横穴３２と３３を有している。図１３が示すように、横穴３２と３３は貫通穴として実施されており、その結果それぞれ２つの対向する開口部が中空の管部分３１に配置されている。第１のグリップ２０には固定ねじ３４が配置されている。横穴３２と３３は管部分３１の縦軸線のまわりに９０゜だけ互いにずらして設けられている。第１のグリップ２０をグリップフレーム１０にて位置調整するには、固定ねじ３４を緩めて第１のグリップ２０を９０゜回転させ、次に固定ねじ３４を再びねじ込む。この場合、固定ねじ３４は両手操作のために横穴３２にねじ込まれ、片手操作のためには横穴３３にねじ込まれる。
【００２５】
固定ねじ３４の代わりに、たとえば割りピン等の他の固定手段を設けてもよい。また、横穴の代わりに凹部を管部分３１に設けてもよい。固定手段として、たとえば穴または凹部と協働する弾性的なボールのような弾性的な位置固定手段を設けてもよい。
【００２６】
図７ないし図１０に図示したようにグリップフレーム１０が片手操作位置にあるとき、第１のグリップ２０は止め輪９の上流側にあり、第２のグリップ２１は止め輪９の下流側にある。図８が示すように、両グリップ２０と２１は送風管７の一部分８の長手方向１５をも含んでいる共通の面３５内に配置されている。一部分２８は送風管７の一部分８の周囲部にほぼ当接している。グリップフレーム１０を長手方向１５に見た図８の側面図では、グリップフレーム１０は送風管７の一部分８を取り囲んでいる。
【００２７】
図９の側面図が示すように、第１のグリップ２０の長手方向２２は前記長手方向１５に対し角度αだけ傾斜している。第２のグリップ２１の長手方向２３は前記長手方向１５に対し角度βだけ傾斜している。グリップフレーム１０の一部分１７は、一部分８の前記長手側３９とは逆の側の長手側４２において長手方向１５に平行に延在している。長手側３９にはグリップフレーム１０の一部分１８が配置されている。作動時において長手側４２は上向きになり、長手側３９は下向きになる。この場合、送風管７の一部分８の長手方向１５は地面または床に対し傾斜してもよい。
【００２８】
図１０には、操作者４８の位置が示唆的に図示されている。操作者４８は第１のグリップ２０の上流側にして送風管７の横にいる。第２のグリップ２１は第１のグリップ２０の操作者４８とは逆の側にある。この位置で操作者４８は第２のグリップ２１を把持することができない。第２のグリップ２１が送風管７の一部分８の領域において第１のグリップ２０の下流側にあるため、操作者４８は第２のグリップ２１により阻害されない。第２のグリップ２０がこの非作動位置にあるとき、送風管７は第１のグリップ２０だけで案内される。両手操作の位置では、両グリップ２０と２１は送風管７の一部分８の両側にある。片手操作の位置では、両グリップ２０と２１は送風管７の一部分８の上方にある。これにより、グリップフレーム１０および送風管７への力の好ましい導入が得られる。
【００２９】
止め輪９は送風管７の一部分８に取り外し可能に固定されている。これにより止め輪９をグリップフレーム１０とともに送風管７の一部分８から取り外すことができる。止め輪９およびグリップパイプ１０の代わりに、図１４に図示した止め輪４９をパイプコネクション５０を用いて一部分８に固定してもよい。パイプコネクション５０には固定ねじ３４を用いて第１のグリップ２０を固定させることができる。これにより、両手操作が望ましくない場合には、従来慣用されている片手操作用グリップを備えた送風管７も使用することができる。この場合、グリップ２０は止め輪４９に取り外し可能に固定され、止め輪４９は送風管７に取り外し可能に固定される。
【００３０】
グリップフレーム１０は吸引機または噴射機の管状部分にも使用できる。また、他の作業機での使用も有利であり、特にグリップフレーム１０を固定させることのできる管状部分を備えた作業機での使用も有利である。
【図面の簡単な説明】
【００３１】
【図１】送風機の側面図である。
【図２】図１の線ＩＩ−ＩＩによる断面図である。
【図３】両手操作用位置で示した送風機のグリップフレームの斜視図である。
【図４】図３の矢印ＩＶ方向に見たグリップフレームの側面図である。
【図５】図４の矢印Ｖ方向に見たグリップフレームの側面図である。
【図６】図５の矢印ＶＩ方向に見たグリップフレームの平面図である。
【図７】片手操作用位置で示したグリップフレームの斜視図である。
【図８】図７の矢印ＶＩＩＩ方向に見たグリップフレームの側面図である。
【図９】図８の矢印ＩＸ方向に見たグリップフレームの側面図である。
【図１０】図９の矢印Ｘ方向に見たグリップフレームの平面図である。
【図１１】第１のグリップの一部を取り外したグリップフレームの斜視図である。
【図１２】図１１の部分ＸＩＩの拡大図である。
【図１３】グリップパイプの管部分の拡大斜視図である。
【図１４】片手操作用グリップを備えた図１および図２の送風機の送風管を示す図である。
【符号の説明】
【００３２】
１                  送風機
４                  駆動原動機
７                  送風管
９                  止め輪
１０                グリップフレーム
１１                ホールダ
１７                グリップパイプ
２０                第１のグリップ
２１                第２のグリップ
３４                固定ねじ
４９                止め輪
【図１】
0005150079.tif 000002
【図２】
0005150079.tif 000003
【図３】
0005150079.tif 000004
【図４】
0005150079.tif 000005
【図５】
0005150079.tif 000006
【図６】
0005150079.tif 000007
【図７】
0005150079.tif 000008
【図８】
0005150079.tif 000009
【図９】
0005150079.tif 000010
【図１０】
0005150079.tif 000011
【図１１】
0005150079.tif 000012
【図１２】
0005150079.tif 000013
【図１３】
0005150079.tif 000014
【図１４】
0005150079.tif 000015